(57)【要約】【課題】コネクタ構造を提供する。【解決手段】導電端子を有する絶縁枠体があり、絶縁枠体にメモリカードの挿入と退出を案内するためのカード戻し機構が設けられ、また、絶縁枠体を被覆する金属遮蔽体があり、導電端子に、常時開式のスイッチ端子が設けられ、カード戻し機構のスライダに、係止フックが設けられ、メモリカードが挿入されると、係止フックがメモリカードの凹槽に係止することにより、メモリカードが定位に固定され、動揺による変位がなく、電信伝送の安定を確保でき、また、メモリカードが挿入されることにより、スイッチ端子が押されて傍へ変位して、金属遮蔽体上の導電シートに接触し、検知回路が導通される。【選択図】図１
0003126609.tif 000002
【実用新案登録請求の範囲】
【請求項１】
メモリカードを挿入することに供する外枠に、導電端子を設置するための端子槽が設けられ、端子槽の一側に、スライダが設置され、また、弾性素子とレバーを固定するための弾性素子ベースとレバー固定孔がある絶縁枠体と、
メモリカードが押し入れられると、メモリカードとともに摺動し、メモリカードの凹槽に係止して固定するための係止フックが設けられ、また、レバーの摺動を案内するための案内溝が設けられるスライダと、
メモリカードを退出する時の回復力を供給する弾性素子と、
案内溝で摺動し、スライダを位置付けるレバーと、
メモリカードに導通し、データをアクセスでき、また、スイッチ端子が設けられ、メモリカードが押し入れられてスイッチ端子の第１の抵当部と第２の抵当部に抵当すると、接触部が、金属遮蔽体の導電シートに接触して検知回路を導通する１組の導電端子と、
絶縁枠体を被覆し、レバーとメモリカードを押える弾性押えシートが設けられ、また、側辺に、スイッチ端子に接触して検知回路を導通するための導電シートが設けられる金属遮蔽体と、
が含有される、
ことを特徴とするコネクタ構造。
【請求項２】
係止フックが、下から上へメモリカードの凹槽に係止することを特徴とする請求項１に記載のコネクタ構造。
【請求項３】
スイッチ端子の側面が「匚」文字のようであり、その末端に、第１の抵当部と第２の抵当部及び接触部が設けられることを特徴とする請求項１に記載のコネクタ構造。
【請求項４】
スイッチ端子の第１の抵当部が、絶縁枠体内に向かって「く」文字に湾曲されるようであることを特徴とする請求項１に記載のコネクタ構造。
【請求項５】
当該弾性素子が、圧縮バネであることを特徴とする請求項１に記載のコネクタ構造。
【請求項６】
当該弾性素子ベースが、柱状体であることを特徴とする請求項１に記載のコネクタ構造。
【考案の詳細な説明】
【技術分野】
【０００１】
本考案は、コネクタ構造に関し、特に、導電端子と絶縁枠体、弾性素子、スライダ、レバーと金属遮蔽体からなり、スライダが、弾性素子とレバーにより絶縁枠体の一側に固定され、導電端子が、絶縁枠体の端子槽に設けられ、金属遮蔽体が、絶縁枠体を被覆し、導電端子に、スイッチ端子があり、メモリカードが挿入されると、検知回路が導通され、スライダの一側に、メモリカードを固定して、メモリカードが離脱や動揺できないための上へ向かって係止する係止フックが設けられるものに関する。
【背景技術】
【０００２】
情報科学とディジタル化の発展ともに、記憶装置の発展も素早くなり、また、記憶装置の容量が大きくなると共に、記憶装置の小型化も実現され、既存のディジタル製品には、各種類の軽薄短小のメモリカードを記憶装置として利用され、メモリカードのコネクタも、メモリカードを利用する時の必要な要素になる。
【０００３】
しかしながら、上記のメモリカードのコネクタの体積が小さく、挿入ストロークが短いため、容易に、定位の確実性を把握できず、また、容易に、データ伝送の不安定を来たし、上記の問題点を解消するために、接触覚スイッチを設置して、メモリカードがある定位に挿入されると、接触覚スイッチを駆動してメモリカードのデータを伝送開始し、また、従来の接触覚スイッチは、常時開式であっても、常時閉式であっても、二つか三つの異なる形態の構成要素からなるため、工程と組立てが複雑で、コストも高くなる。
【０００４】
また、メモリカードが、定位に挿入された後、固定されなければ、外力により動揺されて位移するため、データの伝送エラーや破損が発生し、また、導電端子とメモリカード自身との不正の摩擦が発生して、故障になる恐れがある。
【考案の開示】
【考案が解決しようとする課題】
【０００５】
本考案の目的は、導電端子を有する絶縁枠体があり、当該絶縁枠体に、メモリカードの挿入と退出を案内するためのカード戻し機構が設けられ、また、絶縁枠体を被覆する金属遮蔽体があり、当該導電端子に、常時開式（Ｎｏｒｍａｌ  Ｏｐｅｎ）のスイッチ端子が設けられ、カード戻し機構のスライダに、係止フックが設けられ、メモリカードが挿入されると、当該係止フックが、メモリカードの凹槽に係止することにより、メモリカードが定位に固定され、動揺による変位がなく、電信伝送の安定を確保でき、また、メモリカードが挿入されることにより、スイッチ端子が、押されて傍へ変位して、金属遮蔽体上の導電シートに接触し、検知回路が導通されるコネクタ構造を提供する。
【課題を解決するための手段】
【０００６】
請求項１の考案は、メモリカードを挿入することに供する外枠に、導電端子を設置するための端子槽が設けられ、端子槽の一側に、スライダが設置され、また、弾性素子とレバーを固定するための弾性素子ベースとレバー固定孔がある絶縁枠体と、メモリカードが押し入れられると、メモリカードとともに摺動し、メモリカードの凹槽に係止して固定するための係止フックが設けられ、また、レバーの摺動を案内するための案内溝が設けられるスライダと、メモリカードを退出する時の回復力を供給する弾性素子と、案内溝で摺動し、スライダを位置付けるレバーと、メモリカードに導通し、データをアクセスでき、また、スイッチ端子が設けられ、メモリカードが押し入れられてスイッチ端子の第１の抵当部と第２の抵当部に抵当すると、接触部が、金属遮蔽体の導電シートに接触して検知回路を導通する１組の導電端子と、絶縁枠体を被覆し、レバーとメモリカードを押える弾性押えシートが設けられ、また、側辺に、スイッチ端子に接触して検知回路を導通するための導電シートが設けられる金属遮蔽体と、が含有される、ことを特徴とするコネクタ構造である。
【０００７】
請求項２の考案は、係止フックが、下から上へメモリカードの凹槽に係止することを特徴とする請求項１に記載のコネクタ構造である。
【０００８】
請求項３の考案は、スイッチ端子の側面が「匚」文字のようであり、その末端に、第１の抵当部と第２の抵当部及び接触部が設けられることを特徴とする請求項１に記載のコネクタ構造である。
【０００９】
請求項４の考案は、スイッチ端子の第１の抵当部が、絶縁枠体内に向かって「く」文字に湾曲されるようであることを特徴とする請求項１に記載のコネクタ構造である。
【００１０】
請求項５の考案は、当該弾性素子が、圧縮バネであることを特徴とする請求項１に記載のコネクタ構造である。
【００１１】
請求項６の考案は、当該弾性素子ベースが、柱状体であることを特徴とする請求項１に記載のコネクタ構造である。
【考案を実施するための最良の形態】
【００１２】
本考案に係わるコネクタ構造１は、図１と２を参照しながら、導電端子６と絶縁枠体２、弾性素子５、スライダ３、レバー４及び金属遮蔽体７からなり、絶縁枠体２は、内部に、導電端子６を設置するための端子槽２２が設けられ、一側に、スライダ３とレバー４及び弾性素子５が設置され、周縁に、金属遮蔽体７と係合するための複数のほぞ２４が設けられ、弾性素子５は、一端が、弾性素子ベース２１に固定され、もう一端が、スライダ３に抵当し、メモリカード８が挿入されると、当該弾性素子５により、カードが退出される弾力が供給され、スライダ３は、レバー４を案内する案内溝３２が設けられ、また、メモリカード８の凹槽に係止するための係止フック３１が設けられ、レバー４は、一端が、絶縁枠体２のレバー固定孔２３に固定され、もう一端が、案内溝３２に位置し、スライダ３が、メモリカード８が挿入されることにより摺動する時、レバーが、案内溝３２に沿って移動して、スライダ３を所定の位置に支持し、金属遮蔽体７は、絶縁枠体２に被覆し、レバー４の上方に対応するように、レバー４が押えられて案内溝３２から離脱しないための弾性押えシートＡ７１が設けられ、また、やや中央に、メモリカード８を押えるための弾性押えシートＢ７２が設けられ、側辺に、スイッチ端子６１と接触して検知回路を導通するための導電シート７３が設けられ、絶縁枠体２のほぞ２４に対応する位置に、ほぞ穴７４が設けられ、ほぞ２４とほぞ穴７４とにより、絶縁枠体２と金属遮蔽体７とが係合されて、コネクタ構造１が構成される。
【００１３】
図３と４を参照しながら、メモリカード８が本考案に係わるコネクタ構造１に挿入されると、スライダ３上の係止フック３１が、下から上へ向かってメモリカード８の凹槽に係止し、また、スライダ３が、メモリカード８が押し入れられることにより、摺動し、案内溝３２内のレバー４が、案内溝３２に沿って摺動し、これにより、スライダ３が位置付けられ、また、メモリカード８のもう一側が、導電端子６の傍のスイッチ端子６１に接触し、そして、メモリカード８が前へ第１の抵当部６１２に抵当するように押し入れられると、スイッチ端子６１が側辺へ移動し、スイッチ端子６１の一端の第２の抵当部６１１が絶縁枠体２の枠に抵当し、メモリカード８が更に押し入れられると、スイッチ端子６１の接触部６１３が、外へ向かって押えられて、金属遮蔽体７の導電シート７３に接触し、検知回路が導通され、これにより、導電端子６によりメモリカード８のデータのアクセスを開始する。
【００１４】
図５は、本考案に係わるコネクタ構造１にメモリカード８が挿入される時の立体図であり、メモリカード８が挿入されると、一側のスイッチ端子６１が、メモリカード８により押されて、スイッチ端子６１の接触部６１３が、金属遮蔽体７の導電シート７３に接触し、検知回路が導通され、金属遮蔽体７は、やや中央に、メモリカード８を押えて良いメモリカード８と導電端子との導通を確保するための弾性押えシートＢ７２が設けられ、一側に、レバー４の上方に対応するように、レバー４が押えられて案内溝３２から離脱しないための弾性押えシートＡ７１が設けられ、これにより、スライダ３が正常に作動し、導通が良く、カードが容易に離脱しなくて動揺しないコネクタ構造が構成される。
【図面の簡単な説明】
【００１５】
【図１】本考案に係わるコネクタ構造の分解図
【図２】本考案に係わるコネクタ構造の組立て概念図
【図３】本考案に係わるコネクタ構造の作動概念図（１）
【図４】本考案に係わるコネクタ構造の作動概念図（２）
【図５】本考案に係わるコネクタ構造の立体図
【符号の説明】
【００１６】
１                 コネクタ構造
２                 絶縁枠体
２１               弾性素子ベース
２２               端子槽
２３              レバー固定孔
２４               ほぞ
３                 スライダ
３１               係止フック
３２               案内溝
４                 レバー
５                 弾性素子
６                 導電端子
６１               スイッチ端子
６１１      第２の抵当部
６１２      第１の抵当部
６１３      接触部
７                 金属遮蔽体
７１               弾性押えシートＡ
７２               弾性押えシートＢ
７３               導電シート
７４               ほぞ穴
８                 メモリカード
【図１】
0003126609.tif 000003
【図２】
0003126609.tif 000004
【図３】
0003126609.tif 000005
【図４】
0003126609.tif 000006
【図５】
0003126609.tif 000007